(57)【要約】  複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置と、前記経路選択装置と通信可能なアドレス解決装置と、を備え、前記経路選択装置は、前記通信網におけるユーザ装置から送出された接続要求信号における着番号に対応するアドレスを前記アドレス解決装置に問い合わせ、当該アドレス解決装置から受信する応答に基づいて、前記接続要求信号を前記第１の回線経由で着信先の通信網に送信するか、前記第２の回線経由で着信先の通信網に送信するかを決定する。
2016031886.tif 000002
【特許請求の範囲】
【請求項１】
複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムであって、
前記第１の回線により他通信網と接続されるとともに、前記第２の回線により他通信網と接続される通信網に備えられる経路選択装置と、
前記経路選択装置と通信可能なアドレス解決装置と、を備え、
前記経路選択装置は、前記通信網におけるユーザ装置から送出された接続要求信号における着番号に対応するアドレスを前記アドレス解決装置に問い合わせ、当該アドレス解決装置から受信する応答に基づいて、前記接続要求信号を前記第１の回線経由で着信先の通信網に送信するか、前記第２の回線経由で着信先の通信網に送信するかを決定する
ことを特徴とする通信システム。
【請求項２】
前記経路選択装置は、前記問い合わせの結果、前記アドレス解決装置から前記着番号に対応するアドレスを取得できた場合には、前記第１の回線経由で前記接続要求信号を着信先の通信網に送信し、前記アドレス解決装置から前記着番号に対応するアドレスを取得できない場合には、前記第２の回線経由で前記接続要求信号を着信先の通信網に送信する
ことを特徴とする請求項１に記載の通信システム。
【請求項３】
前記アドレス解決装置は、前記経路選択装置が備えられている前記通信網と前記第１の回線により接続される他通信網におけるユーザ装置の電話番号とアドレスを格納する格納手段を備える
ことを特徴とする請求項１又は２に記載の通信システム。
【請求項４】
前記アドレス解決装置は、前記通信網と前記第１の回線により接続される他通信網の事業者からＭＮＰ転出したユーザ装置の電話番号を、当該他通信網のアドレスとともに格納しない
ことを特徴とする請求項３に記載の通信システム。
【請求項５】
前記アドレス解決装置は、前記通信網と前記第２の回線により接続される第１の他通信網の事業者から、前記通信網と前記第１の回線により接続される第２の他通信網の事業者へＭＮＰ転入したユーザ装置の電話番号を、当該第２の他通信網のアドレスとともに格納する
ことを特徴とする請求項３又は４に記載の通信システム。
【請求項６】
前記第１の回線はＩＰ回線であり、前記第２の回線はデジタル回線である
ことを特徴とする請求項１ないし５のうちいずれか１項に記載の通信システム。
【請求項７】
複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置であって、
前記通信網におけるユーザ装置から送出された接続要求信号における着番号に対応するアドレスを、前記経路選択装置と通信可能なアドレス解決装置に問い合わせる問い合わせ手段と、
前記アドレス解決装置から受信する応答に基づいて、前記接続要求信号を前記第１の回線経由で着信先の通信網に送信するか、前記第２の回線経由で着信先の通信網に送信するかを決定する決定手段と
を備えることを特徴とする経路選択装置。
【請求項８】
前記決定手段は、前記問い合わせの結果、前記アドレス解決装置から前記着番号に対応するアドレスを取得できた場合には、前記第１の回線経由で前記接続要求信号を着信先の通信網に送信すると決定し、前記アドレス解決装置から前記着番号に対応するアドレスを取得できない場合には、前記第２の回線経由で前記接続要求信号を着信先の通信網に送信すると決定する
ことを特徴とする請求項７に記載の経路選択装置。
【請求項９】
複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置が実行する経路選択方法であって、
前記通信網におけるユーザ装置から送出された接続要求信号における着番号に対応するアドレスを、前記経路選択装置と通信可能なアドレス解決装置に問い合わせる問い合わせステップと、
前記アドレス解決装置から受信する応答に基づいて、前記接続要求信号を前記第１の回線経由で着信先の通信網に送信するか、前記第２の回線経由で着信先の通信網に送信するかを決定する決定ステップと
を備えることを特徴とする経路選択方法。
【請求項１０】
前記決定ステップにおいて、前記経路選択装置は、前記問い合わせの結果、前記アドレス解決装置から前記着番号に対応するアドレスを取得できた場合には、前記第１の回線経由で前記接続要求信号を着信先の通信網に送信すると決定し、前記アドレス解決装置から前記着番号に対応するアドレスを取得できない場合には、前記第２の回線経由で前記接続要求信号を着信先の通信網に送信すると決定する
ことを特徴とする請求項９に記載の経路選択方法。
【発明の詳細な説明】
【技術分野】
【０００１】
本発明は、通信網間の相互接続技術に関連するものである。
【背景技術】
【０００２】
異なる国の間で移動体通信網を相互接続して国際接続を行う技術が従来から存在する。図１に、国際中継網を介した移動体通信網間の相互接続構成の例を示す。図１に示す例では、ある国（例：日本）のオペレータ（通信事業者）の網であるオペレータＢ網とオペレータＣ網がそれぞれ国際中継網に接続され、また、別の国（例：米国）のオペレータの網であるオペレータＡ網が国際中継網に接続されることで国際相互接続が行われている。【０００３】
図１に示す国際中継網は、共通線信号方式に基づく既存の中継網であり、各オペレータの網とデジタル回線（ＳＴＭ回線）で接続される。【０００４】
図１を参照して、国際中継網を介した呼接続手順の例を説明する。ここでは、オペレータＡのユーザＡ（ＵＥ−Ａ（ユーザ装置−Ａ））からユーザＢ（ＵＥ−Ｂ）に呼接続を行うものとする。また、ユーザＢはもともとオペレータＣの加入者であったが、ＭＮＰ（Ｍｏｂｉｌｅ  Ｎｕｍｂｅｒ  Ｐｏｒｔａｂｉｌｉｔｙ）により、オペレータＢの加入者になったものとする。つまり、ユーザＢの電話番号は、オペレータＣで管理されている番号である。【０００５】
ユーザＡがＵＥ−ＡにおいてユーザＢ着番号に発信する操作を行うと、ユーザＢ着番号を宛先として含む接続要求信号が送出される（ステップ１）。オペレータＡ網内では、海外への発信と判断されて接続要求信号は国際中継網に送出される。国際中継網において、ユーザＢ着番号はオペレータＣの番号であると識別されるので、接続要求信号はオペレータＣ網にルーチングされる（ステップ２）。オペレータＣ網では、ユーザＢ着番号は、オペレータＢへＭＮＰ転出した番号であると識別されるため、当該接続要求信号はオペレータＢ網に転送され、ユーザＢ（ＵＥ−Ｂ）への着信がなされる（ステップ３）。
【先行技術文献】
【非特許文献】
【０００６】
【非特許文献１】3GPP TS 23.228 V12.5.0 (2014-06)
【非特許文献２】GSMA PRD IR.67
【発明の概要】
【発明が解決しようとする課題】
【０００７】
今後、移動通信網間の国際相互接続において、ＩＰ相互接続（国際ＩＰ相互接続）が進展していくと考えられる。国際ＩＰ相互接続においては、図１に示した国際中継網が、ＩＰ中継網であるＩＰＸ網に置き換わる網構成になるが、ＩＰ相互接続が進展する過程においては、国際中継網（ＳＴＭ回線）を介した相互接続とＩＰＸ網（ＩＰ回線）を介したＩＰ相互接続とが混在することが想定される。【０００８】
全てのオペレータ網がＩＰ回線で相互接続される、もしくは全てのオペレータ網がＳＴＭ回線で相互接続される場合であれば、例えば、非特許文献１、非特許文献２等に記載された技術的要件や規定に従って接続動作等を行うことができる。しかしながら、現状、ＩＰ接続とＳＴＭ接続が混在する場合の規定は存在しないので、ＩＰ接続とＳＴＭ接続が混在する場合でも、既存の規定等に従った接続動作を実行することになる。このような状況から生じる課題の例を図２、図３を参照して説明する。【０００９】
図２は、ＩＰ接続とＳＴＭ接続が混在する場合の国際相互接続における接続構成例と課題を説明するための図である。【００１０】
図２に示す例では、オペレータＢ網とオペレータＡ網はＩＰＸ網を介してＩＰ回線で相互接続されているが、オペレータＣ網とオペレータＡ網は国際中継網を介してＳＴＭ回線で相互接続されている。【００１１】
このような網構成において、図１の場合と同様に、オペレータＡのユーザＡ（ＵＥ−Ａ）からユーザＢ（ＵＥ−Ｂ）に呼接続を行う手順を説明する。図１の場合と同様に、ユーザＢはもともとオペレータＣの加入者であったが、ＭＮＰにより、オペレータＢの加入者になったものとする。【００１２】
ユーザＡがユーザＢ着番号に発信する操作を行うと、ユーザＢ着番号を宛先として含む接続要求信号が国際中継網に送出される（ステップ１１）。国際中継網において、ユーザＢ着番号はオペレータＣの番号であると識別されるので、接続要求信号はオペレータＣ網にルーチングされる（ステップ１２）。オペレータＣ網では、ユーザＢ着番号は、オペレータＢへＭＮＰ転出した番号であると識別されるため、当該接続要求信号はオペレータＢ網に転送され、ユーザＢ（ＵＥ−Ｂ）への着信がなされる（ステップ１３）。その後、国際中継網を介した音声通話等がなされる。【００１３】
仮に、ユーザＢが、オペレータＣからＭＮＰ転入したユーザではなく、オペレータＢに最初から加入し、オペレータＢが管理する番号を持つユーザであるとすると、オペレータＢ網とオペレータＡ網はＩＰＸ網を介してＩＰで相互接続されているから、ユーザＡ（ＵＥ−Ａ）からユーザＢ（ＵＥ−Ｂ）への呼接続は、ＩＰＸ網を経由した接続となり、音声通話等もＩＰＸ網を経由してなされることになる。【００１４】
ところで、現状、オペレータにより提供されるサービスにおいて、ＩＰ網では提供できるが、ＳＴＭ回線を介した場合には提供できないサービス（以下、ＩＰベースサービスと呼ぶ）が存在する。例えば、ビデオ通話サービスや、ＩＰの帯域制御を活用した広帯域サービス等である。なお、本明細書において、ＩＰ回線ではないＳＴＭ回線等の通信回線をデジタル回線と呼ぶ場合がある。【００１５】
図２に示す網構成の例において、オペレータＡとオペレータＢがＩＰベースサービスを提供しているとする。オペレータＣからオペレータＢにＭＮＰ転入したユーザＢは、オペレータＢの加入者なのだから、本来であれば、オペレータＡとオペレータＢ間の通信においてＩＰベースサービスを受けられるべきであるが、図２で説明したように、ユーザＢとユーザＡ間の通信は、ＳＴＭ回線を経由するため、ＩＰベースサービスを提供することができない。一方、ユーザＢが最初からオペレータＢに加入しているユーザであれば、ＳＴＭ回線を経由しないため、ＩＰベースサービスを提供することができる。このように、ＩＰ接続とＳＴＭ接続が混在する場合、ＩＰベースサービスを提供可能なオペレータであっても、ユーザにＩＰベースサービスを提供できない場合が生じるという課題がある。【００１６】
なお、図２に示したケースにおいて、オペレータＣからオペレータＢにＭＮＰ転入したユーザＢへの接続要求信号をオペレータＡ網からＩＰＸ網に送出することも考えられるが、ＩＰＸ網等においてユーザＢ着番号のアドレス解決ができずに、接続要求信号は国際中継網に転送されるため、上記と同様の課題が生じる。【００１７】
次に、図３を参照して別の課題の例を説明する。図３も、ＩＰ接続とＳＴＭ接続が混在する国際相互接続の構成例を示している。【００１８】
図３の例では、ユーザＡ（ＵＥ−Ａ）が、オペレータＣのユーザであるユーザＣ（ＵＥ−Ｃ）に接続する場合について説明する。ここでは、ユーザＣは、もともとオペレータＢの加入者であり、オペレータＣにＭＮＰ転入したものとする。つまり、ユーザＣの番号はオペレータＢから払い出され、オペレータＢで管理されている番号である。また、前述したように、オペレータＡ網とオペレータＢ網間はＩＰ相互接続しているが、オペレータＡ網とオペレータＣ網間はＩＰ相互接続しておらず、ＳＴＭ接続されている。【００１９】
ユーザＡがユーザＣ着番号に発信する操作を行うと、ユーザＣ着番号を宛先として含む接続要求信号が送出される（ステップ２１）。オペレータＡ網において、ユーザＣ着番号は、オペレータＡ網とＩＰ接続されるオペレータＢ網の番号として識別されるため、接続要求信号は、ＩＰＸ網を経由してオペレータＢ網に転送される（ステップ２２）。オペレータＢ網では、ユーザＣ着番号は、オペレータＣへＭＮＰ転出した番号であると識別されるため、接続要求信号は、オペレータＣ網に転送され（ステップ２３）、ユーザＣ（ＵＥ−Ｃ）への着信がなされる。【００２０】
すなわち、オペレータＣ網とオペレータＡ網との間はＩＰ相互接続していないにも関わらず、図３のケースでは、オペレータＢ網を経由することで、オペレータＣ網とオペレータＡ網とがＩＰ相互接続できてしまうことになる。このため、ユーザＣに対して、ＳＴＭ接続を介した場合に提供できないＩＰベースサービスを提供できてしまう。【００２１】
このように、ＩＰ相互接続していないオペレータ網間で、ＩＰ相互接続するオペレータ網を中継網として用いることで、ＩＰ相互接続ができてしまうという課題がある。【００２２】
なお、上記の課題は、ＩＰ接続とＳＴＭ接続が混在する場合の例であるが、接続回線のプロトコルがＩＰ、ＳＴＭ以外のプロトコルであっても同様の課題が存在し得る。【００２３】
本発明は上記の点に鑑みてなされたものであり、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術を提供することを目的とする。
【課題を解決するための手段】
【００２４】
本発明の実施の形態によれば、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムであって、
前記第１の回線により他通信網と接続されるとともに、前記第２の回線により他通信網と接続される通信網に備えられる経路選択装置と、
前記経路選択装置と通信可能なアドレス解決装置と、を備え、
前記経路選択装置は、前記通信網におけるユーザ装置から送出された接続要求信号における着番号に対応するアドレスを前記アドレス解決装置に問い合わせ、当該アドレス解決装置から受信する応答に基づいて、前記接続要求信号を前記第１の回線経由で着信先の通信網に送信するか、前記第２の回線経由で着信先の通信網に送信するかを決定する通信システムが提供される。【００２５】
また、本発明の実施の形態によれば、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置であって、
前記通信網におけるユーザ装置から送出された接続要求信号における着番号に対応するアドレスを、前記経路選択装置と通信可能なアドレス解決装置に問い合わせる問い合わせ手段と、
前記アドレス解決装置から受信する応答に基づいて、前記接続要求信号を前記第１の回線経由で着信先の通信網に送信するか、前記第２の回線経由で着信先の通信網に送信するかを決定する決定手段とを備える経路選択装置が提供される。【００２６】
また、本発明の実施の形態によれば、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置が実行する経路選択方法であって、
前記通信網におけるユーザ装置から送出された接続要求信号における着番号に対応するアドレスを、前記経路選択装置と通信可能なアドレス解決装置に問い合わせる問い合わせステップと、
前記アドレス解決装置から受信する応答に基づいて、前記接続要求信号を前記第１の回線経由で着信先の通信網に送信するか、前記第２の回線経由で着信先の通信網に送信するかを決定する決定ステップとを備える経路選択方法が提供される。
【発明の効果】
【００２７】
本発明の実施の形態によれば、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術が提供される。
【図面の簡単な説明】
【００２８】
【図１】従来の国際相互接続網と、接続手順例を示す図である。
【図２】ＩＰ接続とＳＴＭ接続が混在する場合の国際相互接続における接続構成例と課題を説明するための図である。
【図３】ＩＰ接続とＳＴＭ接続が混在する場合の国際相互接続における接続構成例と課題を説明するための図である。
【図４】第１の実施の形態における網構成例を示す図である。
【図５】アドレス解決装置１００の機能構成図である。
【図６】経路選択装置２００の機能構成図である。
【図７】第１の実施の形態におけるシステムの動作例１を説明するための図である。
【図８】第１の実施の形態におけるシステムの動作例２を説明するための図である。
【図９】第２の実施の形態における網構成例を示す図である。
【図１０】経路選択装置Ａ３００の機能構成図である。
【図１１】経路選択装置Ｂ４００の機能構成図である。
【図１２】第２の実施の形態におけるシステムの動作例１を説明するための図である。
【図１３】第２の実施の形態におけるシステムの動作例２を説明するための図である。
【発明を実施するための形態】
【００２９】
以下、図面を参照して本発明の実施の形態を説明する。なお、以下で説明する実施の形態は一例に過ぎず、本発明が適用される実施の形態は、以下の実施の形態に限られるわけではない。例えば、以下で説明する各オペレータの網は移動通信網であるが、本発明はオペレータの網が移動通信網である場合に限らずに適用可能である。また、以下で説明する通信網間接続で使用する回線はＩＰ回線とＳＴＭ回線であるが、これらは例であり、本発明は、通信網間接続で使用する回線のプロトコルがＩＰ、ＳＴＭに限らず適用可能である。
【００３０】
（第１の実施の形態）
＜システム構成＞
まず、本発明の第１の実施の形態について説明する。図４は、第１の実施の形態における国際相互接続の網構成（システム構成）例を説明するための図である。ここに示す網構成は、オペレータ網間の接続構成としては図２と同様である。すなわち、オペレータＢ網とオペレータＡ網はＩＰＸ網を介してＩＰ回線で相互接続されているが、オペレータＣ網とオペレータＡ網は国際中継網を介してＳＴＭ回線で相互接続されている。
【００３１】
各オペレータの網には、接続要求信号等を適切な経路に振り分ける経路選択装置が備えられるが、図４には、特に、オペレータＡ網に備えられる経路選択装置２００が示されている。また、本実施の形態では、ＩＰ相互接続するオペレータにおけるユーザの電話番号からＩＰアドレスを取得するアドレス解決装置１００が備えられる。アドレス解決装置１００は、例えばＥＮＵＭサーバであるが、これに限られるわけではない。また、アドレス解決装置１００は、経路選択装置２００と通信可能であれば、どこに備えられていてもよい。例えば、ＩＰＸ網内にアドレス解決装置１００の機能が備えられていてもよい。
【００３２】
なお、アドレス解決装置１００により得られるアドレスは、ＩＰアドレスに限らず、名前等でもよいので、それらを総称する意味で、以降、アドレス解決装置１００により得られる情報を「アドレス」と記述する。
【００３３】
後に詳細に説明するが、本実施の形態では、経路選択装置２００が、オペレタータＡのユーザ（ＵＥ）から、着番号を宛先として含む接続要求信号（例：ＩＮＶＩＴＥリクエスト）を受信すると、アドレス解決装置１００に着番号に対応するアドレスを問い合わせ、着番号に対応するアドレスが得られれば、当該アドレスに対応するオペレータ網（ＩＰ相互接続するオペレータ網）に向けて接続要求信号を転送する。一方、着番号に対応するアドレスが得られない場合には、国際中継網側に接続要求信号を転送する。
【００３４】
図５に、本実施の形態におけるアドレス解決装置１００の機能構成図を示す。図５（ａ）示すように、アドレス解決装置１００は、アドレス解決部１０１と、電話番号／アドレス対応表格納部１０２を備える。
【００３５】
なお、図５は、アドレス解決装置１００において本発明の実施の形態に特に関連する機能部のみを示すものであり、実際に動作を行うための図示しない機能も有するものである。また、図５に示す機能構成は一例に過ぎない。本実施の形態に係る動作を実行できるのであれば、機能区分や機能部の名称はどのようなものでもよい。
【００３６】
図５（ｂ）に示すように、電話番号／アドレス対応表格納部１０２には、電話番号とアドレスとを対応付けた対応表（テーブル）が格納されている。
【００３７】
本実施の形態では、当該対応表に設定される電話番号は、例えば、オペレータＡ網とＩＰ相互接続しているオペレータ網が収容（契約）するユーザ（ＵＥ）の電話番号である。
【００３８】
例えば、オペレータＡ網とオペレータＢ網がＩＰ相互接続されている場合において、オペレータＢからＭＮＰ転出して、オペレータＡ網とＩＰ相互接続されていないオペレータＣのユーザとなった電話番号は対応表に記録されていない。なお、オペレータＡ網とＩＰ相互接続されていないオペレータＣの電話番号として記録することは構わない。ただし、この場合、当該電話番号に対応するアドレスは存在しない（又は、アドレスが存在しない旨が記録される）。
【００３９】
また、逆に、オペレータＡ網とオペレータＢ網がＩＰ相互接続されていて、オペレータＡ網とオペレータＣ網がＩＰ相互接続されていない場合において、オペレータＣからオペレータＢにＭＮＰ転入したユーザの電話番号及び対応するアドレス（オペレータＢ網のアドレス）は対応表に格納されている。
【００４０】
なお、上記の例は、オペレータＡ網から発信する場合に必要となる情報であるが、各オペレータ網毎に、同様の対応表が格納されてよい。ただし、例えば、アドレス解決装置１００を、オペレータＡのみがアクセスする装置として備える場合には、オペレータＡにとって必要となる情報のみが格納されていればよい。
【００４１】
また、対応表に記録される「アドレス」は、接続要求信号を転送する転送先が、どのオペレータ網であるかがわかるアドレスであればよく、着信先のＵＥのアドレスである必要はない。もちろん、着信先のＵＥのアドレスであってもよい。
【００４２】
アドレス解決部１０１は、経路選択装置２００から着番号を指定した問い合わせ信号（例：ＥＮＵＭ  Ｑｕｅｒｙ）を受信すると、電話番号／アドレス対応表格納部１０２における対応表を検索し、着番号に対応するアドレスが見つかれば当該アドレスを経路選択装置２００に返し、着番号に対応するアドレスが無ければ、対応表にアドレスが存在しない旨の情報を経路選択装置２００に返す処理を実行する。「対応表にアドレスが存在しない旨の情報」は、ＩＰＸ網経由で接続してはいけないことを示す指示であってもよい。
【００４３】
なお、アドレス解決装置１００は、１つのコンピュータ（サーバ）で実現してもよいし、電話番号を階層的に構成することで、複数のコンピュータにより階層的な検索を実行可能な構成としてもよい。
【００４４】
図６に、経路選択装置２００の機能構成図を示す。図６に示すように、経路選択装置２００は、アドレス問い合わせ部２０１、経路判定部２０２、接続要求信号転送部２０３を含む。
【００４５】
なお、図６は、経路選択装置２００において本発明の実施の形態に特に関連する機能部のみを示すものであり、実際に動作を行うための図示しない機能も有するものである。また、図６に示す機能構成は一例に過ぎない。本実施の形態に係る動作を実行できるのであれば、機能区分や機能部の名称はどのようなものでもよい。
【００４６】
アドレス問い合わせ部２０１は、ユーザ（ＵＥ）から発信された接続要求信号を受信し、当該接続要求信号に含まれる着番号を含むアドレス問い合わせをアドレス解決装置２００に送信し、アドレス解決装置２００から応答（アドレス、又は、アドレスが存在しない旨）を受信し、応答を経路判定部２０２に渡す。
【００４７】
経路判定部２０２は、アドレス問い合わせ部２０１から受け取った情報がアドレスであれば、当該アドレス向けに接続要求信号を転送するよう接続要求信号転送部２０３に指示し、アドレス問い合わせ部２０１から受け取った情報が「アドレスが存在しない旨」の情報であれば、国際中継網向けに接続要求信号を転送するよう接続要求信号転送部２０３に指示する。接続要求信号転送部２０３は、経路判定部２０２からの指示に従って、接続要求信号を転送する。
【００４８】
なお、経路選択装置２００の機能は、例えば、オペレータＡ網におけるＩＭＳ網のＳ−ＣＳＣＦ（Ｓｅｒｖｉｎｇ  Ｃａｌｌ／Ｓｅｓｓｉｏｎ  Ｃｏｎｔｒｏｌ  Ｆｕｎｃｔｉｏｎ）を実現する装置内に実装することとしてよいが、これに限られるわけではない。また、経路選択装置２００は、１つのコンピュータ（サーバ）で実現してもよいし、複数のコンピュータで実現してもよい。
【００４９】
＜第１の実施の形態における動作例１＞
次に、図７を参照して、第１の実施の形態におけるシステムの動作例１を説明する。動作例１は、オペレータＡのユーザＡ（ＵＥ−Ａ）が、ＩＰ相互接続しているオペレータＢのユーザＢ（ＵＥ−Ｂ）に向けて発信する場合の例である。オペレータＢ網はオペレータＡ網とＩＰ相互接続されているので、アドレス解決装置１００には、ユーザＢ着番号とそれに対応するアドレスが格納されている。
【００５０】
ユーザＡがＵＥ−ＡにおいてユーザＢ着番号に発信する操作を行うと、ユーザＢ着番号を宛先として含む接続要求信号が送出され、当該接続要求信号を経路選択装置２００が受信する（ステップ１０１）。経路選択装置２００は、ユーザＢ着番号を含むアドレス問い合わせをアドレス解決装置１００に送信し（ステップ１０２）、アドレス解決装置１００からユーザＢ着番号に対応するアドレス（オペレータＢ網側アドレス）を含む応答を受信する（ステップ１０３）。
【００５１】
続いて、経路選択装置２００は、ステップ１０３で取得したアドレス（オペレータＢ網側アドレス）を宛先として接続要求信号を送出する（ステップ１０４）。接続要求信号は、ＩＰＸ網経由でオペレータＢ網に転送され、オペレータＢ網内の転送処理によって、ユーザＢ（ＵＥ−Ｂ）に届けられる（ステップ１０５）。その後は、接続時と同じ網を経由して接続応答がＵＥ−Ａに返され、ＵＥ−ＢとＵＥ−Ａ間で音声通話等の通信が行われる。
【００５２】
＜第１の実施の形態における動作例２＞
次に、図８を参照して、第１の実施の形態におけるシステムの動作例２を説明する。動作例２は、オペレータＡのユーザＡ（ＵＥ−Ａ）が、ＩＰ相互接続していないオペレータＣのユーザＣ（ＵＥ−Ｃ）に向けて発信する場合の例である。オペレータＣ網はオペレータＡ網とＩＰ相互接続されていないので、アドレス解決装置１００には、ユーザＣ着番号とそれに対応するアドレスは格納されていない。
【００５３】
ユーザＡがＵＥ−ＡにおいてユーザＣ着番号に発信する操作を行うと、ユーザＣ着番号を宛先として含む接続要求信号が送出され、当該接続要求信号を経路選択装置２００が受信する（ステップ２０１）。経路選択装置２００は、ユーザＣ着番号を含むアドレス問い合わせをアドレス解決装置１００に送信し（ステップ２０２）、アドレス解決装置１００からユーザＣ着番号に対応するアドレスがない旨の情報を含む応答を受信する（ステップ２０３）。
【００５４】
経路選択装置２００は、ステップ２０３において、ユーザＣ着番号に対応するアドレスがないことを把握したので、ユーザＡ（ＵＥ−Ａ）からの接続要求信号を国際中継網側に転送する（ステップ２０４）。接続要求信号は、国際中継網におけるルーチングによってオペレータＣ網に届けられ、オペレータＣ網内の転送処理により、ユーザＣ（ＵＥ−Ｃ）に届けられる（ステップ２０５）。その後は、接続時と同じ網を経由して接続応答がＵＥ−Ａに返され、ＵＥ−ＣとＵＥ−Ａ間で音声通話等の通信が行われる。
【００５５】
本実施の形態によれば、経路選択装置２００が、アドレス解決装置１００から着番号に対応するアドレスを取得し、当該アドレスに従って接続要求信号の転送を行い、また、アドレス解決装置１００から着番号に対応するアドレスがない旨の情報を受信したときには、接続要求信号を国際中継網に転送することとしたので、ＭＮＰユーザとオリジナルユーザとで提供サービスに差が生じる問題や、ＩＰ相互接続していないオペレータ網間でＩＰ相互接続できてしまうといった問題が解消される。
【００５６】
以上、説明したように、本実施の形態では、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムであって、前記第１の回線により他通信網と接続されるとともに、前記第２の回線により他通信網と接続される通信網に備えられる経路選択装置と、前記経路選択装置と通信可能なアドレス解決装置と、を備え、前記経路選択装置は、前記通信網におけるユーザ装置から送出された接続要求信号における着番号に対応するアドレスを前記アドレス解決装置に問い合わせ、当該アドレス解決装置から受信する応答に基づいて、前記接続要求信号を前記第１の回線経由で着信先の通信網に送信するか、前記第２の回線経由で着信先の通信網に送信するかを決定する通信システムが提供される。
【００５７】
上記の構成により、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術が提供される。
【００５８】
前記経路選択装置は、例えば、前記問い合わせの結果、前記アドレス解決装置から前記着番号に対応するアドレスを取得できた場合には、前記第１の回線経由で前記接続要求信号を着信先の通信網に送信し、前記アドレス解決装置から前記着番号に対応するアドレスを取得できない場合には、前記第２の回線経由で前記接続要求信号を着信先の通信網に送信する。この構成により、アドレス解決装置において登録される電話番号とアドレスに応じて、第１の回線経由で接続要求信号を着信先の通信網に送信するか、それとも、第２の回線経由で接続要求信号を着信先の通信網に送信するかを適切に決定できる。
【００５９】
前記アドレス解決装置は、前記経路選択装置が備えられている前記通信網と前記第１の回線により接続される他通信網におけるユーザ装置の電話番号とアドレスを格納する格納手段を備えることとしてよい。この構成により、アドレス解決装置から、第１の回線により接続される他通信網におけるアドレスを取得でき、当該アドレス宛に接続要求信号を送信することで、第１の回線により接続される他通信網への接続を行うことができる。
【００６０】
前記アドレス解決装置は、前記通信網と前記第１の回線により接続される他通信網の事業者からＭＮＰ転出したユーザ装置の電話番号を、当該他通信網のアドレスとともに格納しないこととしてもよい。このような構成とすることで、第２の回線で接続される事業者にＭＮＰ転出したユーザ装置への接続を第１の回線経由で行うことを回避することができる。
【００６１】
前記アドレス解決装置は、前記通信網と前記第２の回線により接続される第１の他通信網の事業者から、前記通信網と前記第１の回線により接続される第２の他通信網の事業者へＭＮＰ転入したユーザ装置の電話番号を、当該第２の他通信網のアドレスとともに格納することとしてもよい。このような構成とすることで、第２の回線で接続される事業者からＭＮＰ転入したユーザ装置への接続を、第１の回線経由で行うことができる。
【００６２】
例えば、前記第１の回線はＩＰ回線であり、前記第２の回線はデジタル回線である。この構成により、既に説明したようなＩＰ回線とデジタル回線の通信網間接続が混在する場合における具体的な課題を解消することができる。
【００６３】
また、本実施の形態により、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置であって、前記通信網におけるユーザ装置から送出された接続要求信号における着番号に対応するアドレスを、前記経路選択装置と通信可能なアドレス解決装置に問い合わせる問い合わせ手段と、前記アドレス解決装置から受信する応答に基づいて、前記接続要求信号を前記第１の回線経由で着信先の通信網に送信するか、前記第２の回線経由で着信先の通信網に送信するかを決定する決定手段とを備える経路選択装置が提供される。
【００６４】
上記の構成により、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術が提供される。
【００６５】
（第２の実施の形態）
＜システム構成＞
次に、本発明の第２の実施の形態について説明する。図９は、第２の実施の形態における国際相互接続の網構成（システム構成）例を説明するための図である。ここに示す網構成は、オペレータ網間の接続構成としては基本的に図２等と同様である。すなわち、オペレータＢ網とオペレータＡ網はＩＰＸ網を介してＩＰ回線で相互接続されているが、オペレータＣ網とオペレータＡ網は国際中継網を介してＳＴＭ回線で相互接続されている。また、図９に示す例では、オペレータＡ網とＩＰ相互接続される網として、オペレータＢ網に加えて、オペレータＤ網、オペレータＥ網が示されている。なお、図示されていないが、オペレータＤ網、オペレータＥ網もそれぞれ国際中継網にＳＴＭ回線で接続されている。
【００６６】
ＩＰ相互接続される各オペレータ網には、接続要求信号等を適切な経路に振り分ける経路選択装置が備えられるが、図９には、特に、オペレータＡ網に備えられる経路選択装置Ａ３００と、オペレータＢ網に備えられる経路選択装置Ｂ４００が示されている。オペレータＡ網とＩＰ相互接続される各オペレータ網（オペレータＤ網、Ｅ網、...．）には、オペレータＢ網に備えられる経路選択装置Ｂ４００と同様の機能を有する経路選択装置Ｄ４００、Ｅ４００...が備えられているものとする。
【００６７】
後に詳細に説明するが、本実施の形態では、経路選択装置Ａ３００が、オペレータＡのユーザ（ＵＥ）から、外国（例：日本）向けの着番号を宛先として含む接続要求信号を受信すると、経路選択装置Ａ３００は、当該国においてオペレータＡ網とＩＰ相互接続している各オペレータ網にＩＰ接続を試み、全てＮＧだった場合に国際中継網へ接続する動作を行う。もちろん、当該国においてオペレータＡ網とＩＰ相互接続しているオペレータ網がただ１つであれば、当該特定のオペレータ網のみに対してＩＰ接続を試みることになる。
【００６８】
図１０に、本実施の形態における経路選択装置Ａ３００の機能構成図を示す。図１０に示すように、経路選択装置Ａ３００は、ＩＰ網接続制御部３０１、オペレータアドレス格納部３０２、国際中継網接続部３０３を含む。
【００６９】
なお、図１０は、経路選択装置Ａ３００において本発明の実施の形態に特に関連する機能部のみを示すものであり、実際に動作を行うための図示しない機能も有するものである。また、図１０に示す機能構成は一例に過ぎない。本実施の形態に係る動作を実行できるのであれば、機能区分や機能部の名称はどのようなものでもよい。
【００７０】
図１０に示す経路選択装置Ａ３００におけるオペレータアドレス格納部３０２には、オペレータＡとＩＰ相互接続している各国の各オペレータ網のアドレスが格納されている。「オペレータ網のアドレス」は、当該アドレスを宛先として指定した信号を送信した場合に、ＩＰＸ網経由で当該オペレータ網内の装置に信号が届くようなアドレスであればどのようなアドレスでもよい。
【００７１】
ＩＰ網接続制御部３０１は、ユーザ（ＵＥ）から発信された接続要求信号を受信し、当該接続要求信号に含まれる着番号が外国向けの番号である場合に、当該国のオペレータ網のアドレスを１つオペレータアドレス格納部３０２から取得し、取得したアドレスを宛先として接続要求信号を送信し、当該宛先のオペレータ網から「当該接続要求信号の宛先のＵＥは当該オペレータ網のＵＥでないことを示す信号」（以降、「接続失敗信号」と呼ぶ）を受信した場合に、次のオペレータ網のアドレスを１つオペレータアドレス格納部３０２から取得し、取得したアドレスを宛先として接続要求信号を送信する動作を、接続が成功するまで繰り返す。ＩＰ接続を試行する複数のオペレータ網が存在する場合に、どの順番で試行を行うかを予め定めておき、その順番で試行を行うこととしてもよいし、例えば、データベースのエントリの順番で試行することとしてもよい。
【００７２】
この繰り返しの結果、オペレータアドレス格納部３０２に記録されている当該国の全てのオペレータ網から接続失敗信号を受信した場合、ＩＰ網接続制御部３０１は、接続要求信号を国際中継網に送出することを決定し、接続要求信号を国際中継網に送出することを国際中継網接続部３０３に指示する。指示を受けた国際中継網接続部３０３は、当該接続要求信号を国際中継網に向けて送信する。
【００７３】
なお、経路選択装置Ａ３００の機能は、例えば、オペレータＡ網におけるＩＭＳ網のＳ−ＣＳＣＦ（Ｓｅｒｖｉｎｇ  Ｃａｌｌ／Ｓｅｓｓｉｏｎ  Ｃｏｎｔｒｏｌ  Ｆｕｎｃｔｉｏｎ）を実現する装置内に実装することとしてよいが、これに限られるわけではない。また、経路選択装置Ａ３００は、１つのコンピュータ（サーバ）で実現してもよいし、複数のコンピュータで実現してもよい。
【００７４】
図１１に、本実施の形態における経路選択装置Ｂ４００の機能構成図を示す。図１１に示すように、経路選択装置Ｂ４００は、接続要求信号転送制御部４０１と番号情報格納部４０２を含む。
【００７５】
なお、図１１は、経路選択装置Ｂ４００において本発明の実施の形態に特に関連する機能部のみを示すものであり、実際に動作を行うための図示しない機能も有するものである。また、図１１に示す機能構成は一例に過ぎない。本実施の形態に係る動作を実行できるのであれば、機能区分や機能部の名称はどのようなものでもよい。また、経路選択装置Ｂ４００は、自網で接続を行うかどうかを判定する装置であるから接続判定装置と称してもよい。
【００７６】
図１１に示す経路選択装置Ｂ４００における番号情報格納部４０２には、オペレータＢのユーザの電話番号が格納されている。当該電話番号には、ＭＮＰで転出したユーザの電話番号は含まれない。もしくは、ＭＮＰで転出したユーザの電話番号を格納するが、当該電話番号には、ＭＮＰで転出した旨（オペレータＢのユーザではない旨）が記録されている。
【００７７】
接続要求信号転送制御部４０１は、ＩＰＸ網経由で外国のオペレータ網から接続要求信号を受信した場合に、接続要求信号における着番号と番号情報格納部４０２に格納されている電話番号とを照合し、当該着番号が番号情報格納部４０２に格納されていれば当該接続要求信号は、自網（オペレータＢ網）のユーザ（ＵＥ）への着信信号であると判断して、当該ＵＥに向けた転送処理を行う。一方、ＩＰＸ網経由で外国のオペレータ網から受信した接続要求信号における着番号が番号情報格納部４０２に格納されていなければ（もしくは、当該着番号が自網の番号でない旨の情報が格納されていれば）、当該接続要求信号は、自網（オペレータＢ網）のユーザ（ＵＥ）への着信信号ではないと判断して、接続失敗信号を、接続要求信号の転送元のオペレータ網に返送する動作を行う。接続失敗信号として、例えば、ＳＩＰ３××（リダイレクション）信号を用いることができるが、これに限られるわけではない。ＳＩＰリダイレクション信号を用いる場合、ＳＩＰリダイレクション信号内に、具体的なリダイレクト先（他のＩＰ接続オペレータ網、国際中継網等）を含めてもよいし、具体的なリダイレクト先を含めなくてもよい。ＳＩＰリダイレクション信号を用いることで、経路選択装置Ａ３００は、接続要求信号を他の宛先に送信（リダイレクト）する必要があることをＳＩＰ処理として判断できる。
【００７８】
なお、経路選択装置Ｂ４００の機能は、例えば、オペレータＢ網におけるＩＭＳ網のＳ−ＣＳＣＦ（Ｓｅｒｖｉｎｇ  Ｃａｌｌ／Ｓｅｓｓｉｏｎ  Ｃｏｎｔｒｏｌ  Ｆｕｎｃｔｉｏｎ）を実現する装置内に実装することとしてよいが、これに限られるわけではない。また、経路選択装置Ｂ４００は、１つのコンピュータ（サーバ）で実現してもよいし、複数のコンピュータで実現してもよい。
【００７９】
＜第２の実施の形態における動作例１＞
次に、図１２を参照して、第２の実施の形態におけるシステムの動作例１を説明する。動作例１は、オペレータＡのユーザＡ（ＵＥ−Ａ）が、ＩＰ相互接続しているオペレータＤのユーザＤ（ＵＥ−Ｄ）に向けて発信する場合の例である。
【００８０】
ユーザＡがＵＥ−ＡにおいてユーザＤ着番号（国識別番号含む）に発信する操作を行うと、ユーザＤ着番号を宛先として含む接続要求信号が送出され、当該接続要求信号を経路選択装置Ａ３００が受信する（ステップ３０１）。
【００８１】
経路選択装置Ａ３００は、国識別番号に対応する国におけるＩＰ相互接続しているオペレータ網として、最初にオペレータＢ網に向けて接続要求信号を転送する（ステップ３０２）。オペレータＢ網における経路選択装置Ｂ４００が当該接続要求信号を受信するが、経路選択装置Ｂ４００は、当該接続要求信号における着番号が自網の番号でないと判定し、接続失敗信号をオペレータＡ網の経路選択装置Ａ３００に返送する（ステップ３０３）。
【００８２】
経路選択装置Ａ３００は、次のＩＰ相互接続しているオペレータ網として、オペレータＤ網に向けて接続要求信号を転送する（ステップ３０４）。オペレータＤ網における経路選択装置Ｄ４００は、当該接続要求信号における着番号が自網の番号であると判定し、当該接続要求信号をＵＥ−Ｄに転送することで、接続要求信号がＵＥ−Ｄに届けられる（ステップ３０５）。その後は、接続成功時と同じ網を経由して接続応答がＵＥ−Ａに返され、ＵＥ−ＤとＵＥ−Ａ間で音声通話等の通信が行われる。
【００８３】
＜第２の実施の形態における動作例２＞
次に、図１３を参照して、第２の実施の形態におけるシステムの動作例２を説明する。動作例２は、オペレータＡのユーザＡ（ＵＥ−Ａ）が、ＩＰ相互接続していないオペレータＣのユーザＣ（ＵＥ−Ｃ）に向けて発信する場合の例である。
【００８４】
ユーザＡがＵＥ−ＡにおいてユーザＣ着番号（国識別番号含む）に発信する操作を行うと、ユーザＣ着番号を宛先として含む接続要求信号が送出され、当該接続要求信号を経路選択装置Ａ３００が受信する（ステップ４０１）。
【００８５】
経路選択装置Ａ３００は、国識別番号に対応する国におけるＩＰ相互接続しているオペレータ網として、最初にオペレータＢ網に向けて接続要求信号を転送する（ステップ４０２）。オペレータＢ網における経路選択装置Ｂ４００が当該接続要求信号を受信するが、経路選択装置Ｂ４００は、当該接続要求信号における着番号が自網の番号でないと判定し、接続失敗信号をオペレータＡ網の経路選択装置Ａ３００に返送する（ステップ４０３）。
【００８６】
経路選択装置Ａ３００は、次のＩＰ相互接続しているオペレータ網として、オペレータＤ網に向けて接続要求信号を転送する（ステップ４０４）。オペレータＤ網における経路選択装置Ｄ４００が当該接続要求信号を受信するが、経路選択装置Ｄ４００は、当該接続要求信号における着番号が自網の番号でないと判定し、接続失敗信号をオペレータＡ網の経路選択装置Ａ３００に返送する（ステップ４０５）。
【００８７】
経路選択装置Ａ３００は、該当国のＩＰ相互接続している全てのオペレータ網に対して上記と同様にしてＩＰ接続を試行するが、いずれも接続失敗信号が返される。最後の接続失敗信号が返された後（仮に試行オペレータ網が１つであれば、最初の接続失敗信号が返された後）、経路選択装置Ａ３００は、国際中継網に向けて接続要求信号を送信し、当該接続要求信号は国際中継網を経由してオペレータＣ網に届けられる（ステップ４０６）。そして、接続要求信号は、オペレータＣ網内の転送処理により、ユーザＣ（ＵＥ−Ｃ）に届けられる（ステップ２０５）。その後は、接続時と同じ網を経由して接続応答がＵＥ−Ａに返され、ＵＥ−ＣとＵＥ−Ａ間で音声通話等の通信が行われる。
【００８８】
本実施の形態によれば、経路選択装置Ａ３００が、ＩＰ相互接続するオペレータ網に対してＩＰ接続を試行し、試行に係る接続要求信号を受信したオペレータ網の経路選択装置Ｂ４００等において、自網への着番号でない場合には、接続失敗信号を経路選択装置Ａ３００に返し、経路選択装置Ａ３００が、全てのＩＰ相互接続するオペレータ網に対してＩＰ接続を試行しても接続に成功しなかった場合に、国際中継網への接続を行うこととしたので、ＭＮＰユーザとオリジナルユーザとで提供サービスに差が生じる問題や、ＩＰ相互接続していないオペレータ網間でＩＰ相互接続できてしまうといった問題が解消される。
【００８９】
以上、説明したように、本実施の形態によれば、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムであって、前記第１の回線により他通信網と接続されるとともに、前記第２の回線により他通信網と接続される通信網に備えられる経路選択装置と、前記通信網と第１の回線により接続される他通信網である第１回線接続網に備えられる接続判定装置と、を備え、前記経路選択装置は、前記通信網におけるユーザ装置から送出された接続要求信号を受信したときに、当該接続要求信号を前記第１回線接続網に送信し、前記接続判定装置から、前記接続要求信号の着信先が前記第１回線接続網におけるユーザ装置ではないことを示す接続失敗信号を受信した場合に、前記接続要求信号を前記第２の回線経由で着信先の通信網に送信する通信システムが提供される。
【００９０】
上記の構成により、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術が提供される。
【００９１】
前記通信網と第１の回線により接続される他通信網である第１回線接続網が複数存在する場合において、前記経路選択装置は、当該複数の第１回線接続網のそれぞれに対して前記接続要求信号を送信し、当該複数の第１回線接続網における各接続判定装置から接続失敗信号を受信した場合に、前記接続要求信号を前記第２の回線経由で着信先の通信網に送信するようにしてもよい。この構成により、前記通信網と第１の回線により接続される第１回線接続網が複数存在する場合であっても、適切に接続要求信号を第２の回線経由で着信先の通信網に送信するべきことを判断できる。
【００９２】
前記経路選択装置は、前記複数の第１回線接続網における予め定めた優先順位に従った順番で各第１回線接続網に対して前記接続要求信号を送信することとしてもよい。この構成により、例えば、優先順位の高い接続先に迅速に接続を行うことが可能となる。
【００９３】
前記接続判定装置は、前記経路選択装置から受信した接続要求信号における着番号が、当該接続判定装置が備えられている通信網におけるユーザ装置の電話番号ではないと判定した場合に、前記接続失敗信号を、前記接続要求信号の送信元の前記経路選択装置に返送するように構成してもよい。この構成により、接続判定装置は、接続失敗信号を返送すべきかどうかを適切に判断できる。
【００９４】
例えば、前記第１の回線はＩＰ回線であり、前記第２の回線はデジタル回線である。この構成により、既に説明したようなＩＰ回線とデジタル回線の通信網間接続が混在する場合における具体的な課題を解消することができる。
【００９５】
前記接続失敗信号は、例えばＳＩＰリダイレクション信号である。この構成により、接続失敗信号を受信した経路選択装置は、接続要求信号を他の宛先に送信すべきこと（リダイレクトすべきこと）をＳＩＰ処理の中で判断することができる。
【００９６】
また、本実施の形態により、複数通信網が相互接続される通信システムであり、第１のプロトコルで通信を行う第１の回線による通信網間接続と第２のプロトコルで通信を行う第２の回線による通信網間接続とを含む複数の通信網間接続が混在している通信システムにおいて、前記第１の回線により他通信網と接続されるとともに、前記第２の回線により他通信網と接続される通信網に備えられる経路選択装置であって、前記通信網と第１の回線により接続される他通信網である第１回線接続網において接続判定装置が備えられており、前記通信網におけるユーザ装置から送出された接続要求信号を受信したときに、当該接続要求信号を前記第１回線接続網に送信する送信手段と、前記接続判定装置から、前記接続要求信号の着信先が前記第１回線接続網におけるユーザ装置ではないことを示す接続失敗信号を受信した場合に、前記接続要求信号を前記第２の回線経由で着信先の通信網に送信する接続制御手段とを備える経路選択装置が提供される。
【００９７】
上記の構成により、複数の通信網が相互接続される通信システムにおいて、第１のプロトコルで通信を行う第１の回線による通信網間接続と第２のプロトコルで通信を行う第２の回線による通信網間接続とを含む複数の通信網間接続が混在している場合においても、適切にユーザ装置間での通信接続を行うことを可能とする技術が提供される。
【００９８】
（その他の実施形態）
以上、第１の実施の形態と第２の実施の形態を分けて説明したが、これらを組み合わせて実施することも可能である。すなわち、各オペレータ網において備えられる経路選択装置は、第１の実施の形態における機能と第２の実施の形態における機能の両方を備えることとしてもよい。
【００９９】
また、例えば、第１の実施の形態で説明したアドレス解決装置１００から受信したアドレスに従って、ＩＰＸ網経由で接続を行ったが、何等かの不都合で、接続先オペレータ網に着番号のユーザが存在しない場合等において、第２の実施の形態と同様に、接続失敗信号を試行元に返し、その後は、第２の実施の形態と同様にして、他のＩＰ接続候補のオペレータ網があればそこにＩＰ接続を試行することを繰り返し、他にＩＰ接続候補のオペレータ網がなければ、国際中継網経由で接続を行うこととしてもよい。
【０１００】
本実施の形態で説明したアドレス解決装置、及び各経路選択装置はそれぞれ、ＣＰＵとメモリを備える装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。また、当該プログラムはネットワークを介して流通させてもよいし、可搬メモリ等の記録媒体に記録して配布してもよい。
【０１０１】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、各装置は機能的なブロック図を用いて説明されたが、そのような装置はハードウェアで、ソフトウェアで又はそれらの組み合わせで実現されてもよい。本発明の実施の形態に従って各装置が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１０２】
本発明は上記実施形態に限定されず、本発明の精神から逸脱することなく、様々な変形例、修正例、代替例、置換例等が本発明に包含される。
【０１０３】
本特許出願は２０１４年８月２９日に出願した日本国特許出願第２０１４−１７５９５２号に基づきその優先権を主張するものであり、日本国特許出願第２０１４−１７５９５２号の全内容を本願に援用する。
【符号の説明】
【０１０４】
１００  アドレス解決装置
１０１  アドレス解決部
１０２  電話番号／アドレス対応表格納部
２００  経路選択装置
２０１  アドレス問い合わせ部
２０２  経路判定部
２０３  接続要求信号転送部
３００  経路選択装置Ａ
３０１  ＩＰ網接続制御部
３０２  オペレータアドレス格納部
３０３  国際中継網接続部
４００  経路選択装置Ｂ
４０１  接続要求信号転送制御部
４０２  番号情報格納部
【図１】
2016031886.tif 000003
【図２】
2016031886.tif 000004
【図３】
2016031886.tif 000005
【図４】
2016031886.tif 000006
【図５】
2016031886.tif 000007
【図６】
2016031886.tif 000008
【図７】
2016031886.tif 000009
【図８】
2016031886.tif 000010
【図９】
2016031886.tif 000011
【図１０】
2016031886.tif 000012
【図１１】
2016031886.tif 000013
【図１２】
2016031886.tif 000014
【図１３】
2016031886.tif 000015
【国際調査報告】
2016031886.tif 000016
2016031886.tif 000017
2016031886.tif 000018
2016031886.tif 000019